(57)【要約】【課題】  ラックとピニオンとの噛み合わせを良好に維持すること。【解決手段】  シャーシ３の中央孔３Ａ内に光ピックアップ６が配置され、該光ピックアップ６を移動可能に支持する一対のガイドシャフト７の端部の高さを調整することにより光ピックアップ６がラジアル方向Ｒ及びタンジェント方向Ｔに傾角調整され、送りモータ１０により回転駆動されるピニオン１２に噛合するラック１３と光ピックアップ６のベース６ａとが自在継手１５により連結されており、該自在継手１５が、ラック１３の移動方向ａ，ｂに沿って所定間隔をおいて該ラック１３に一体突設した一対の継手板１５ａと、ベース６ａに一体突設されて両継手球１５ｂ間の空隙に嵌入する継手球１５ｂとからなっている。【選択図】        図１
2005190579.tif 000002
【特許請求の範囲】
【請求項１】
シャーシにディスク載置用ターンテーブルが設けられると共に、該シ
ャーシの中央孔内に光ピックアップが配置され、該光ピックアップを移動可能に支持する
一対のガイドシャフトの端部の高さを調整することにより光ピックアップがラジアル方向
及びタンジェント方向に傾角調整され、前記シャーシに設けた送りモータにより回転駆動
されるピニオンに噛合する合成樹脂製ラックが前記光ピックアップの合成樹脂製ベースに
一体連結されており、ターンテーブルによりディスクを高速回転させ、送りモータにより
ピニオン及びラックを介して光ピックアップを移動させ、該光ピックアップによりディス
クに記録されている情報を読み取るようにしたディスクプレーヤにおいて、前記光ピック
アップのベースとラックとの一体連結を解除して、該ラックがベースに自在継手を介して
連結され、該自在継手が、ラックの移動方向に沿って所定間隔をおいて該ラックに一体突
設した一対の継手板と、ベースに一体突設されて両継手板間の空隙に嵌入する継手球とか
らなり、前記中央孔のラック対向側縁を略Ｌ字状に折曲することにより形成したガイドレ
ールにラックが対向され、該ラックの両端部に一体突設した一対の略Ｌ字状浮き上がり防
止片がガイドレールの外側面から下面にかけて係合され、該両浮き上がり防止片に対向し
てラックの下面に一体突設した横揺れ防止片がガイドレールの内側面に係合されているこ
とを特徴とするディスクプレーヤ。
【請求項２】
シャーシにディスク載置用ターンテーブルが設けられると共に、該シ
ャーシの中央孔内に光ピックアップが配置され、該光ピックアップを移動可能に支持する
一対のガイドシャフトの端部の高さを調整することにより光ピックアップがラジアル方向
及びタンジェント方向に傾角調整され、前記シャーシに設けた送りモータにより回転駆動
されるピニオンに噛合する合成樹脂製ラックが前記光ピックアップの合成樹脂製ベースに
連結されており、ターンテーブルによりディスクを高速回転させ、送りモータによりピニ
オン及びラックを介して光ピックアップを移動させ、該光ピックアップによりディスクに
記録されている情報を読み取るようにしたディスクプレーヤにおいて、前記光ピックアッ
プのベースとラックとが自在継手を介して連結されていることを特徴とするディスクプレ
ーヤ。
【請求項３】
前記自在継手が、前記ラックの移動方向に沿って所定間隔をおいて該
ラックに一体突設した一対の継手板と、前記ベースに一体突設されて両継手板間の空隙に
嵌入する継手球とからなることを特徴とする請求項２に記載のディスクプレーヤ。
【請求項４】
前記シャーシの中央孔のラック対向側縁を略Ｌ字状に折曲することに
より形成したガイドレールにラックが対向され、該ラックの両端部に一体突設した一対の
略Ｌ字状浮き上がり防止片がガイドレールの外側面から下面にかけて係合され、該両浮き
上がり防止片に対向してラックの下面に一体突設した横揺れ防止片がガイドレールの内側
面に係合されていることを特徴とする請求項２または３に記載のディスクプレーヤ。
【発明の詳細な説明】
【技術分野】
【０００１】
本発明は、例えばＤＶＤ・ＲＷなどの光ディスク、磁気ディスク（以下、ディスクと略
称する）の再生や記録または消去を行うためのディスクプレーヤに関する。
【背景技術】
【０００２】
従来、ディスクプレーヤの技術として特許文献１などに記載したものがあり、その一例
を図７〜図１０に基づいて説明すると、これは、筐体１に弾性ゴム２を介してシャーシ３
が上下動可能に支持され、該シャーシ３の一端部にスピンドルモータ４により回転される
ディスクＤ載置用ターンテーブル５が設けられ、シャーシ３の中央孔３Ａ内に対物レンズ
ＯＬなどを備えた光ピックアップ６が配置され、該光ピックアップ６の合成樹脂製ベース
６ａの両側縁部に突設した軸受部６ｂに一対のガイドシャフト７が移動可能に挿通され、
該各ガイドシャフト７の端部にコイルばね８を巻回させると共に、該コイルばね８の両端
部をシャーシ３及び該シャーシ３から切り起こした係合片３Ｂに係合させることにより、
その各ガイドシャフト７の端部がシャーシ３に一定範囲内可動可能に連結され、各ガイド
シャフト７の端部に当接する４本の高さ調整ねじ９がシャーシ３のねじ孔に螺合され、シ
ャーシ３に設けた送りモータ１０によりギヤ機構１１を介して回転駆動されるピニオン１
２に噛合する合成樹脂製ラック１３がベース６ａに一体連結されている。
【０００３】
操作手順を説明すると、シャーシ３を上動させて水平にすることにより、トレイ（図示
せず）上のディスクＤをターンテーブル５に載置し、スピンドルモータ４により該ターン
テーブル５を介してディスクＤを高速回転させ、送りモータ１０によりギヤ機構１１、ピ
ニオン１２及びラック１３を介して光ピックアップ６をガイドシャフト７に沿って矢印ａ
，ｂ方向に移動させ、光ピックアップ６からレーザ光を照射してディスクＤに記録されて
いる情報を読み取る
工場から出荷する前の最終調整で、各高さ調整ねじ９を回転操作してガイドシャフト７
の端部の高さｔを調整することにより、光ピックアップ６をガイドシャフト７の長手方向
ａ，ｂに沿うラジアル方向Ｒ（図１１参照）と、ガイドシャフト７の横断方向に沿うタン
ジェント方向Ｔ（図１２参照）とにそれぞれ傾角調整することにより、光ピックアップ６
からディスクＤに対してレーザ光の当たる角度が直角になるように設定する。
【特許文献１】特開２００３−２４２７２９号公報
【発明の開示】
【発明が解決しようとする課題】
【０００４】
上記従来の構成では、ラック１３が光ピックアップ６のベース６ａに一体連結されてい
るため、光ピックアップ６をラジアル方向Ｒに傾角調整した場合には、ラック１３もラジ
アル方向Ｒに傾き（図１１参照）、また、光ピックアップ６をタンジェント方向Ｔに傾角
調整した場合には、ラック１３もタンジェント方向Ｔに傾いて（図１２参照）、該ラック
１３とピニオン１２との噛み合わせが悪くなり、ピニオン１２からラック１３への動力伝
達がスムーズに行われなくなって、光ピックアップ６の移動速度が低下するおそれがある
と共に、ピニオン１２とラック１３との噛み合わせ部分が局部的に磨耗されやすく、耐久
性も低下する。
【０００５】
本発明は、上記従来の欠点に鑑み、ラックとピニオンとの噛み合わせを良好に維持する
ことができるようにしたディスクプレーヤを提供することを目的としている。
【課題を解決するための手段】
【０００６】
上記目的を達成するため、請求項１に記載の発明は、シャーシにディスク載置用ターン
テーブルが設けられると共に、該シャーシの中央孔内に光ピックアップが配置され、該光
ピックアップを移動可能に支持する一対のガイドシャフトの端部の高さを調整することに
より光ピックアップがラジアル方向及びタンジェント方向に傾角調整され、前記シャーシ
に設けた送りモータにより回転駆動されるピニオンに噛合する合成樹脂製ラックが前記光
ピックアップの合成樹脂製ベースに一体連結されており、ターンテーブルによりディスク
を高速回転させ、送りモータによりピニオン及びラックを介して光ピックアップを移動さ
せ、該光ピックアップによりディスクに記録されている情報を読み取るようにしたディス
クプレーヤにおいて、前記光ピックアップのベースとラックとの一体連結を解除して、該
ラックがベースに自在継手を介して連結され、該自在継手が、ラックの移動方向に沿って
所定間隔をおいて該ラックに一体突設した一対の継手板と、ベースに一体突設されて両継
手板間の空隙に嵌入する継手球とからなり、前記中央孔のラック対向側縁を略Ｌ字状に折
曲することにより形成したガイドレールにラックが対向され、該ラックの両端部に一体突
設した一対の略Ｌ字状浮き上がり防止片がガイドレールの外側面から下面にかけて係合さ
れ、該両浮き上がり防止片に対向してラックの下面に一体突設した横揺れ防止片がガイド
レールの内側面に係合されていることを特徴としている。
【０００７】
請求項２記載の発明は、シャーシにディスク載置用ターンテーブルが設けられると共に
、該シャーシの中央孔内に光ピックアップが配置され、該光ピックアップを移動可能に支
持する一対のガイドシャフトの端部の高さを調整することにより光ピックアップがラジア
ル方向及びタンジェント方向に傾角調整され、前記シャーシに設けた送りモータにより回
転駆動されるピニオンに噛合する合成樹脂製ラックが前記光ピックアップの合成樹脂製ベ
ースに連結されており、ターンテーブルによりディスクを高速回転させ、送りモータによ
りピニオン及びラックを介して光ピックアップを移動させ、該光ピックアップによりディ
スクに記録されている情報を読み取るようにしたディスクプレーヤにおいて、前記光ピッ
クアップのベースとラックとが自在継手を介して連結されていることを特徴としている。
【０００８】
請求項３に記載の発明は、請求項２に記載の発明において、前記自在継手が、前記ラッ
クの移動方向に沿って所定間隔をおいて該ラックに一体突設した一対の継手板と、前記ベ
ースに一体突設されて両継手板間の空隙に嵌入する継手球とからなることを特徴としてい
る。
【０００９】
請求項４に記載の発明は、請求項２または３に記載の発明において、前記シャーシの中
央孔のラック対向側縁を略Ｌ字状に折曲することにより形成したガイドレールにラックが
対向され、該ラックの両端部に一体突設した一対の略Ｌ字状浮き上がり防止片がガイドレ
ールの外側面から下面にかけて係合され、該両浮き上がり防止片に対向してラックの下面
に一体突設した横揺れ防止片がガイドレールの内側面に係合されていることを特徴として
いる。
【発明の効果】
【００１０】
請求項１に記載の発明は実施の一形態（図１〜図６参照）に対応するものであって、こ
れによれば、光ピックアップのベースとラックとが自在継手を介して連結されており、光
ピックアップをラジアル方向やタンジェント方向に傾角調整しても、ラックが傾くことが
なく、該ラックとピニオンとの噛み合わせ状態を良好に維持することができるから、ピニ
オンからラックへの動力伝達をスムーズに行って、光ピックアップの移動速度を高く維持
することができると共に、ピニオンとラックとの噛み合わせ部分が局部的に磨耗されるこ
とがなく、耐久性の向上を図ることができる。
【００１１】
また、自在継手を形成する一対の継手板と継手球とがラックと光ピックアップのベース
とにそれぞれ一体突設されており、構造簡単で部品点数が増加せず、経済的であり、ラッ
クを光ピックアップに連結する組立作業では、継手球に両継手板間の空隙を嵌合させるだ
けでよく、組立作業を能率的に行うことができる。
【００１２】
更に、一対の略Ｌ字状浮き上がり防止片と横揺れ防止片とをシャーシのガイドレールに
係合させるだけで、該ガイドレールにラックを簡単に係合させることができると共に、そ
のラックをガイドレールに沿って円滑に直線運動させることができ、特に、前記両浮き上
がり防止片と横揺れ防止片とがラックに一体形成されているので、部品点数が増加せず、
経済的である。
【００１３】
請求項２記載の発明によれば、光ピックアップのベースとラックとが自在継手を介して
連結されており、光ピックアップをラジアル方向やタンジェント方向に傾角調整しても、
ラックが傾くことがなく、該ラックとピニオンとの噛み合わせ状態を良好に維持すること
ができるから、ピニオンからラックへの動力伝達をスムーズに行って、光ピックアップの
移動速度を高く維持することができると共に、ピニオンとラックとの噛み合わせ部分が局
部的に磨耗されることがなく、耐久性の向上を図ることができる。
【００１４】
請求項３に記載の発明によれば、自在継手を形成する一対の継手板と継手球とがラック
と光ピックアップのベースとにそれぞれ一体突設されており、構造簡単で部品点数が増加
せず、経済的であり、ラックを光ピックアップに連結する組立作業では、継手球に両継手
板間の空隙を嵌合させるだけでよく、組立作業を能率的に行うことができる。
【００１５】
請求項４に記載の発明によれば、一対の略Ｌ字状浮き上がり防止片と横揺れ防止片とを
シャーシのガイドレールに係合させるだけで、該ガイドレールにラックを簡単に係合させ
ることができると共に、そのラックをガイドレールに沿って円滑に直線運動させることが
でき、特に、前記両浮き上がり防止片と横揺れ防止片とがラックに一体形成されているの
で、部品点数が増加せず、経済的である。
【発明を実施するための最良の形態】
【００１６】
図１は本発明の実施の一形態であるディスクプレーヤを示すものであって、光ピックア
ップ６の合成樹脂製ベース６ａと合成樹脂製ラック１３との一体連結を解除し、該ラック
１３がベース６ａに自在継手１５を介して連結されている。上記以外の構成は図７〜図１
０に示す構成とほぼ同じであるので、同一部分に同一符号を付してその説明を省略する。
【００１７】
前記自在継手１５は、図２〜図４に示すように、ラック１３の移動方向（ａ，ｂ）に沿
って所定間隔をおいて該ラック１３に一体突設した一対の継手板１５ａと、前記ベース６
ａに一体突設されて両継手板１５ａ間の空隙１６に嵌入する継手球１５ｂとからなり、該
継手球１５ｂの外周面を両継手板１５ａの内側面に当接または接近させてその両者間で遊
びがほとんど生じないようにしている。
【００１８】
図３及び図４に示すように、シャーシ３の中央孔３Ａのラック対向側縁を略Ｌ字状に折
曲することにより形成したガイドレール１７にラック１３が対向され、該ラック１３の両
端部に一体突設した一対の略Ｌ字状浮き上がり防止片１８がガイドレール１７の外側面か
ら下面にかけて係合され、該両浮き上がり防止片１８に対向してラック１３の下面に一体
突設した横揺れ防止片１９がガイドレール１７の内側面に係合されている（図６参照）。
【００１９】
上記構成によれば、各高さ調整ねじ９を回転操作してガイドシャフト７の端部の高さｔ
を調整することにより、光ピックアップ６をラジアル方向Ｒに傾角調整した場合には、図
５に示すように、継手球１５ｂのみが回転され、ラック１３がラジアル方向Ｒに傾くこと
がない。また、光ピックアップ６をタンジェント方向Ｔに傾角調整した場合にも、図６に
示すように、継手球１５ｂのみが回転され、ラック１３がタンジェント方向Ｔに傾くこと
がなく、ラック１３とピニオン１２との噛み合わせ状態を良好に維持することができる。
従って、ピニオン１２からラック１３への動力伝達をスムーズに行って、光ピックアップ
６の移動速度を高く維持することができると共に、ピニオン１２とラック１３との噛み合
わせ部分が局部的に磨耗されることがなく、耐久性の向上を図ることができる。
【００２０】
また、自在継手１５を形成する一対の継手板１５ａと継手球１５ｂとがラック１３と光
ピックアップ６のベース６ａとにそれぞれ一体突設されており、構造簡単で部品点数が増
加せず、経済的であり、ラック１３を光ピックアップ６に連結する組立作業では、継手球
１５ｂに両継手板１５ａ間の空隙１６を嵌合させるだけでよく、組立作業を能率的に行う
ことができる。
【００２１】
更に、一対の略Ｌ字状浮き上がり防止片１８と横揺れ防止片１９とをシャーシ３のガイ
ドレール１７に係合させるだけで、該ガイドレール１７にラック１３を簡単に係合させる
ことができると共に、そのラック１３をガイドレール１７に沿って円滑に直線運動させる
ことができ、特に、前記両浮き上がり防止片１８と横揺れ防止片１９とがラック１３に一
体形成されているので、部品点数が増加せず、経済的である。
【産業上の利用可能性】
【００２２】
上記実施の形態では、自在継手１５として、継手板１５ａと継手球１５ｂとからなるも
のを示したが、これに限定されるわけではなく、各種の自在継手を採用してもよい。
【図面の簡単な説明】
【００２３】
【図１】本発明の実施の一形態であるディスクプレーヤの概略平面図である。
【図２】同要部の斜視図である。
【図３】同要部の分解斜視図である。
【図４】同ラックの下面側斜視図である。
【図５】同要部の拡大縦断面図である
【図６】同要部の拡大横断面図である。
【図７】従来例を示す概略平面図である。
【図８】同要部の斜視図である。
【図９】図７のＡ−Ａ矢視図である。
【図１０】図７のＢ−Ｂ矢視図である。
【図１１】同要部の拡大縦断面図である。
【図１２】同要部の拡大横断面図である。
【符号の説明】
【００２４】
３          シャーシ
３Ａ        シャーシの中央孔
５          ターンテーブル
６          光ピックアップ
６ａ        光ピックアップのベース
７          ガイドシャフト
９          高さ調整ねじ
１０        送りモータ
１２        ピニオン
１３        ラック
１５        自在継手
１５ａ      継手板
１５ｂ      継手球
１６        空隙
１７        ガイドレール
１８        浮き上がり防止片
１９        横揺れ防止片
Ｄ          ディスク
Ｒ          ラジアル方向
Ｔ          タンジェント方向
ｔ          ガイドシャフトの高さ
【図１】
2005190579.tif 000003
【図２】
2005190579.tif 000004
【図３】
2005190579.tif 000005
【図４】
2005190579.tif 000006
【図５】
2005190579.tif 000007
【図６】
2005190579.tif 000008
【図７】
2005190579.tif 000009
【図８】
2005190579.tif 000010
【図９】
2005190579.tif 000011
【図１０】
2005190579.tif 000012
【図１１】
2005190579.tif 000013
【図１２】
2005190579.tif 000014